(57)【要約】【目的】  ファスナーテープの取り付け端部のほつれや、被着体からファスナーテープが引き抜かれることによるファスナーテープの破損を低減させる。【構成】  向かい合う一対の被着体(10,20) をスライドファスナー(40)によって開閉自在とするファスナー構造である。帯状の織布の長手方向の一辺にファスナーエレメント(44,45)を固定した一対のファスナーテープ(41,42)のいずれか一方または両方において、ファスナーテープ(41)におけるファスナーエレメント(44)とは反対側の辺を補強する補強部材(30)を備え、その補強部材(30)を被着体(10,20)に対して固定した。【選択図】    図３
2007267771.tif 000002
【特許請求の範囲】
【請求項１】
向かい合う一対の被着体をスライドファスナーによって開閉自在とするファスナー構造であって、
帯状の織布の長手方向の一辺にファスナーエレメントを固定した一対のファスナーテープのいずれか一方または両方において、
ファスナーテープにおけるファスナーエレメントとは反対側の辺を補強する補強部材を備え、
その補強部材を被着体に対して固定することとしたことを特徴とするファスナー構造。
【請求項２】
前記補強部材は、ファスナーテープを厚み方向に挟むことによってファスナーテープにおけるファスナーエレメントとは反対側の辺を覆うように形成したことを特徴とする請求項１に記載のファスナー構造。  
【請求項３】
前記補強部材は、ファスナーテープに縫着されていることを特徴とする請求項１または請求項２のいずれかに記載のファスナー構造。
【請求項４】
前記補強部材は、織布で形成されていることを特徴とする請求項１から請求項３のいずれかに記載に記載のファスナー構造。
【請求項５】
前記補強部材を備えたファスナーテープは、被着体に対して補強部材による固定とは別に縫着することとした請求項１から請求項４のいずれかに記載に記載のファスナー構造。
【発明の詳細な説明】
【技術分野】
【０００１】
本発明は、ファスナー構造の技術に関し、特に、バッグ等に用いたスライドファスナーの縫着技術に関する。
【背景技術】
【０００２】
織布で形成されたスライドファスナーにおけるファスナーテープは、柔軟性があり強度的にも優れている。このようなファスナーテープを用いた技術としては、特開２００４−５２１６２号公報に記載されたスライドファスナーの取付構造が開示されている。この技術は、スライドファスナーのファスナーテープを被着体（生地）に合成樹脂テープを介して縫着している。このようにすると、着用感が良好となり、簡単できれいにスライドファスナーを目立たないように取り付けることができる。
【０００３】
【特許文献１】特開２００４−５２１６２号公報
【発明の開示】
【発明が解決しようとする課題】
【０００４】
上述した特許文献１の技術においては、ファスナーテープの一側に合成樹脂テープを取り付けたことで、縫着自体は確実に行えるようになるが、ファスナーテープ自体の補強としては十分ではなかった。すなわち、スライドファスナーのスライダーを操作して開閉を繰り返すうちに、スライダー操作によってファスナーテープがスライダー側に引かれ、ファスナーテープの取り付け端部がほつれやすくなってしまうという問題もあった。
また、ファスナーテープが取り付けられた被着体は、その被着体から引き抜かれ破損してしまうおそれもあった。
【０００５】
したがって、ファスナーテープの取り付け端部のほつれや、被着体からファスナーテープが引き抜かれることによるファスナーテープの破損を低減させるための技術が望まれていた。
【０００６】
請求項１から請求項５に記載の発明の目的は、ファスナーテープの取り付け端部のほつれや、被着体からファスナーテープが引き抜かれることによるファスナーテープの破損を低減可能なファスナー構造を提供することにある。
【課題を解決するための手段】
【０００７】
（請求項１）
請求項１に記載の発明は、向かい合う一対の被着体(10,20) をスライドファスナー(40)によって開閉自在とするファスナー構造に係る。
すなわち、帯状の織布の長手方向の一辺にファスナーエレメント(44,45)を固定した一対のファスナーテープ(41,42)のいずれか一方または両方において、ファスナーテープ(41)におけるファスナーエレメント(44)とは反対側の辺を補強する補強部材(30)を備え、その補強部材(30)を被着体(10,20)に対して固定することとしたことを特徴とする。
【０００８】
（作用）
補強部材(30)の存在により、ファスナーテープ(41,42)のいずれか一方または両方が、被着体(10,20)に対して破損するおそれを低減させることができる。
【０００９】
また、補強部材(30)を設けたことにより、従来よりも少ない縫い代で被着体に確実に保持でき、スライドファスナー(40)を従来よりも長く突出して設けることが可能となる。これにより、スライダーが被着体等に接触したり引っかかったりしにくくなり、スライダーの動きがスムーズとなり操作性の向上に寄与する。
【００１０】
（請求項２）
請求項２記載の発明は、請求項１に記載のファスナー構造を限定したものである。
すなわち、前記補強部材(30)は、ファスナーテープ(41)を厚み方向に挟むことによってファスナーテープ(41)におけるファスナーエレメント(44)とは反対側の辺を覆うように形成したことを特徴とする。
【００１１】
（作用）
補強部材(30)がファスナーテープ(41)をその厚み方向に挟むことによってファスナーテープ(41)におけるファスナーエレメント(44)とは反対側の辺を覆うように形成されているので、ファスナーテープ(41)の端部からのほつれが生じにくくなる。
【００１２】
（請求項３）
請求項３記載の発明は、請求項１または請求項２に記載のファスナー構造を限定したものである。
すなわち、前記補強部材(30)は、ファスナーテープ(41)に縫着されていることを特徴とする。
【００１３】
（作用）
補強部材(30)は、ファスナーテープ(41)に縫着されているため、補強部材(30)から抜けにくくなる。
【００１４】
（請求項４）  
請求項４に記載の発明は、請求項１から請求項３のいずれかに記載のファスナー構造を限定したものである。
すなわち、前記補強部材(30)は、織布で形成されていることを特徴とする。
補強部材(30)は、本体側ファスナーテープ(41)よりも繊維の密度が高く、また、硬度の硬い材質で形成されていることが望ましい。本体側ファスナーテープ(41)に縫着した縫糸が移動し、縫い目の広がりが防止されるからである。
【００１５】
（請求項５）
請求項５記載の発明は、請求項１から請求項４のいずれかに記載のファスナー構造を限定したものである。
すなわち、前記補強部材(30)を備えたファスナーテープ(41)は、被着体(10,20)に対して補強部材(30)による固定とは別に縫着することとしたことを特徴とする。
【００１６】
（作用）
本体側ファスナーテープ(41)の一端(41a)が補強部材(30)と相俟って、より本体側ファスナーテープ(41)の保持が確実になり、一端(41a)のほつれが軽減される。
【発明の効果】
【００１７】
請求項１から請求項５に記載の発明によれば、スライダー操作によってファスナーテープの取り付け端部がほつれたり、被着体からファスナーテープが引き抜かれることで、ファスナーテープの破損を低減可能なファスナー構造を提供することができた。
【発明を実施するための最良の形態】
【００１８】
本発明の実施の形態について、図面を参照させながら説明する。ここで使用する図面は、図１から図３である。図１は、ファスナー構造が採用された釣り用バッグの全体を示した斜視図であり、図２は、ファスナー構造が採用された釣り用バッグの開状態を示した斜視図であり、図３は、スライドファスナーの取り付け構造の詳細を示した正面断面図である。
【００１９】
本実施形態は、織布で形成されたファスナーテープを有するスライドファスナーの取り付け構造に関し、このスライドファスナーを釣り用バッグに用いた例について説明していく。
【００２０】
図１及び図２に示すように、釣り用バッグ１は、上部に開口部１３を有する略矩形状のケース本体１０（被着体）と、そのケース本体１０の開口部１３に対向配置され、開口部１３を閉塞可能に形成された蓋体２０（被着体）と、スライダー４７を操作することで、ケース本体１０と蓋体２０を開閉可能なスライドファスナー４０と、そのスライドファスナー４０が開状態となった際に、蓋体２０がケース本体１０から脱落しないように取り付けられたヒンジ５０と、ケース本体１０の側面両側（図１では片方のみ図示）に対向配置された一対のハンドル６０・６０と、それらハンドル６０・６０を保持するためのハンドル取付部６１・６１とを備えて構成されている。
【００２１】
図３に示すように、ケース本体１０は、合成皮革の防水性を有する外ケース１１と金型成型した薄肉の合成樹脂からなる内ケース１２による二重壁構造として形成されている。内ケース１２の内部空間は、収納物を収納可能なケース本体収納部１９が設けられており、このケース本体収納部１９に釣り用具等が収納可能となっている。また、外ケース１１及び内ケース１２の間には本体側ファスナーテープ４１の一端４１ａが挿入可能な間隙１８を備えている。
【００２２】
本体側ファスナーテープ４１には、ポリエステル等の合成樹脂のモノフィラメントから形成され、線状タイプのコイル状の本体側ファスナーエレメント４４が設けられている。この本体側ファスナーエレメント４４は、本体側ファスナーテープ４１の長手方向の一辺にあたる一側部４１ｃに沿って配置されている。また、本体側ファスナーテープ４１の外周から本体側ファスナーエレメント４４の外周までを縫糸で貫通して縫着した本体側ファスナー縫着部４３ａを備えている。
【００２３】
蓋体２０は、柔軟性を有する合成樹脂シートで形成されており、スライドファスナー４０の開状態において、スライドファスナー４０の上側部分が蓋側ファスナーテープ４２に縫着されている。また、蓋体２０の内壁２０ａには、蓋側ファスナーテープ４２の一端４２ａの上面が接地している。そして、一端４２ａの上面とは反対側の一側部４２ｃから、蓋体２０の外周までを縫糸で貫通して縫着した蓋体縫着部２１を備えている。
【００２４】
蓋側ファスナーテープ４２は、本体側ファスナーテープ４１と同様にポリエステル等の合成樹脂のモノフィラメントから形成され、線状タイプのコイル状の蓋側ファスナーエレメント４５が設けられ、蓋側ファスナーテープ４２の長手方向の一辺にあたる一側部４２ｃに沿って配置されている。また、蓋側ファスナーテープ４２の外周から蓋側ファスナーエレメント４５の外周までを縫糸で貫通して縫着した蓋側ファスナー縫着部４３ｂを備えている。
【００２５】
スライドファスナー４０は、一対揃って向かい合うように配置され、ケース本体１０と蓋体２０を開閉自在とするスライダー４７が設けられている。スライダー４７には、このスライドファスナー４０に揺動可能に設けたつまみ４６を有し、スライダー４７を操作することで、対向する本体側ファスナーエレメント４４及び蓋側ファスナーエレメント４５が噛み合い、また、噛み合い解除がなされることで、各スライドファスナー４０が開閉されるようになっている。このスライドファスナー４０は、釣り用バッグ１のケース本体１０の上部の開口部１３に沿って取り付けられる。
【００２６】
また、本体側ファスナーテープ４１には、その中途部から一端４１ａに掛けて帯状のナイロン織布からなる補強部材３０が取り付けられている。
この補強部材３０は、折り返し部３１を有して図３の正面視で略Ｕ字形状に形成されており、本体側ファスナーテープ４１を厚み方向に挟むように、他側部４１ｄから一端４１ａ及び一側部４１ｃに掛けて折り返されている。また、補強部材３０の一側面から本体側ファスナーテープ４１を貫通し、補強部材３０の他側面までを縫糸で貫通して縫着したファスナー側縫着部１４を備えている。すなわち、補強部材３０が折り返し部３１を有して一体に形成されているので、本体側ファスナーテープ４１の一端４１ａに対してずれが生じにくい。
【００２７】
本体側ファスナーテープ４１の一端４１ａは、本来、縫着糸が設けられた部分が広がり、織り目が緩んで繊維がほつれ（織り目が解けてしまうこと）やすいが、補強部材３０が本体側ファスナーテープ４１の一端４１ａを挟み込んで支持した状態で縫着したことで、織り目が維持されほつれが防止される。
したがって、本体側ファスナーテープ４１は、補強部材３０を設けたことにより、従来よりも少ない縫い代で被着体に確実に保持でき、スライドファスナー４０を従来よりも長く突出して設けることが可能となる。これにより、つまみ４６を移動した際に、スライダー４７が被着体等に接触したり引っかかったりしにくくなり、スライダー４７の動きがスムーズとなり操作性の向上に寄与する。
【００２８】
また、補強部材３０は、本体側ファスナーテープ４１よりも繊維の密度が高く、硬い材料で形成されている。このため、本体側ファスナーテープ４１に縫着した縫糸が移動して縫い目が広がることが防止される。また、補強部材３０は、本体側ファスナーテープ４１よりも薄いため、本体側ファスナーテープ４１への密着性が良好になる。しかも、織布であるため織り目によって表面に凹凸が形成されるので、外ケース１１と内ケース１２とで挟み込んで支持した本体側ファスナーテープ４１が補強部材３０から抜けにくくなる。
【００２９】
本体側ファスナーテープ４１と補強部材３０は、共に織布で形成したが、本体側ファスナーテープ４１が綾織りで形成されており、補強部材３０が平織りで形成されているため、その織り目が異なっている。このように形成すると、両方で縫糸の移動が規制され、縫い糸が動きにくくなって本体側ファスナーテープ４１のほつれが防止される。そして、挟み込んで支持した本体側ファスナーテープ４１がさらに抜けにくくなる。なお、本体側ファスナーテープ４１及び補強部材３０は、綾織りや平織りではなく、他の織り目によって形成されていてもよい。
【００３０】
また、補強部材３０が取り付けられた本体側ファスナーテープ４１を、釣り用バッグ１のケース本体１０の上部の開口部１３に沿って取り付ける。
前述したように、ケース本体１０は、内ケース１２と外ケース１１とを重ねた二重側壁形状によって形成されており、本体側ファスナーテープ４１を、内ケース１２の縁部１２ｂ及び外ケース１１の縁部１１ｂにおいて内ケース１２と外ケース１１が挟み込んで支持されている。この状態で補強部材３０を介して本体側ファスナーテープ４１がケース本体１０に縫着される。
【００３１】
本体側縫着部１５は、補強部材３０が取り付けられた本体側ファスナーテープ４１を挟み込んだ状態で、外ケース１２の外壁面１２ａから内ケース１１の内壁面１１ａに向かって縫着する。この本体側縫着部１５は、本体側ファスナーテープ４１に補強部材３０を縫着したファスナー側縫着部１４よりも下側に位置している。
【００３２】
なお、本体側ファスナーテープ４１の一端４１ａは、内ケース１２の縁部１２ｂ及び外ケース１１の縁部１１ｂにて二重の側壁によって挟み込んで支持されている。このため、補強部材３０の狭持作用と相俟って、本体側ファスナーテープ４１の保持がより確実になり、本体側ファスナーテープ４１の一端４１ａのほつれが軽減される。
【００３３】
また、本体側ファスナーテープ４１は、補強部材３０とケース本体１０の開口部１３付近のファスナー側縫着部１４がそれぞれ縫着されているので、本体側ファスナーテープ４１の移動が規制され、縫い目のゆるみが生じにくい。
【００３４】
図３に示すように、本体側ファスナーテープ４１に取り付けられた補強部材３０は、外ケース１１の縁部１１ｂ及び内ケースの縁部１２ｂよりも僅かに上方へ突出している。これは、本体側ファスナーテープ４１が、対向する一対のスライドファスナー４０の方向に向かうように方向付けをして支持されているからである。このようにすると、一対のスライドファスナー４０に本体側ファスナーエレメント４４及び蓋側ファスナーエレメント４５が噛み合いやすくなるため好ましい。
【００３５】
また、他方のスライドファスナー４０は、その蓋側ファスナーテープ４２が釣り用バッグ１のケース本体１０の開口部１３を閉塞する蓋体２０の外側に沿うように縫着されている。蓋体２０は、柔軟性を有する合成樹脂シートで形成されており、蓋側ファスナーテープ４２が引かれてもその弾性によって負荷が緩和される。このため、蓋側ファスナーテープ４２の破損は、剛性が高く丈夫なケース本体１０に比べると破損が生じにくい。
【００３６】
したがって、一対のスライドファスナー４０のうち、本体側ファスナーテープ４１だけに補強部材３０を取り付けた構成を採用した。つまり、一対のスライドファスナー４０のうち、いずれか一方に本実施形態の構成を採用すれば十分な効果が得られるからである。ただし、本体側ファスナーテープ４１のみならず、蓋側ファスナーテープ４２に対しても補強部材３０を取り付けた構成を採用することもできる。また、本実施形態におけるファスナー構造は、釣り用バッグ１のほか、通常のバッグやウエアー類など、ファスナー構造を用いるあらゆる物品に採用することができる。
【図面の簡単な説明】
【００３７】
【図１】バッグの全体構造を示した斜視図である。
【図２】蓋体が開状態のバッグの全体構造を示した斜視図である。
【図３】ファスナー構造を示した側面断面図である。
【符号の説明】
【００３８】
１  釣り用バッグ                １０  ケース本体
１１  外ケース                  １１ａ  外壁面
１１ｂ、１２ａ  縁部            １２  内ケース
１２ａ  内壁面  
１３  開口部                    １４  ファスナー側縫着部
１５  本体側縫着部              １８  間隙
１９  ケース本体収納部    
２０  蓋体                      ２０ａ  内壁
２１  蓋体縫着部
３０  補強部材                  ３１  折り返し部
４０  スライドファスナー        ４１  本体側ファスナーテープ
４１ａ、４２ａ  一端            ４１ｂ、４２ｂ  他端
４１ｃ、４２ｃ  一側部          ４１ｄ  他側部
４２  蓋側ファスナーテープ  
４３ａ  本体側ファスナー縫着部
４３ｂ  蓋側ファスナー縫着部
４４  本体側ファスナーエレメント
４５  蓋側ファスナーエレメント
４６  つまみ                    ４７  スライダー
５０  ヒンジ
６０  ハンドル                  ６１  ハンドル取付部
【図１】
2007267771.tif 000003
【図２】
2007267771.tif 000004
【図３】
2007267771.tif 000005